(57)【要約】【課題】斜張橋の端支点部における落橋防止および浮き上がり防止を、鋼材重量を大きくすることなくかつ簡易な施工で実現する。【解決手段】橋桁１４の端横桁１８内に、中間部が略円弧状に湾曲したケーブル挿通孔２０を、その両端部が端横桁１８の下面１８ａおよび橋軸方向外面１８ｄに開口するようにして形成する。そして、このケーブル挿通孔２０に耐震ケーブル２２を挿通配置し、その一端部２２ａを橋台１６の竪壁部１６Ａに定着するとともにその他端部２２ｂを橋台１６の胸壁部１６Ｂに定着する。これにより、落橋の原因となる、橋桁１４を橋軸方向内方へ相対変位させる外力に対しては、耐震ケーブル２２の他端部２２ｂが定着された胸壁部１６Ｂの反力によって抵抗させる。また、浮き上がりの原因となる、橋桁１４に作用する上揚力に対しては、耐震ケーブル２２の一端部２２ａが定着された竪壁部１６Ａの反力によって抵抗させる。【選択図】　　　　　図２
2004092269.tif 000002
【特許請求の範囲】
【請求項１】
斜張橋の端支点部において橋桁が橋台から落下することおよび浮き上がることを防止するための構造であって、
上記橋桁の端横桁内に、中間部が略円弧状に湾曲したケーブル挿通孔が、該ケーブル挿通孔の両端部を上記端横桁の下面および橋軸方向外面に開口させるようにして形成されており、
このケーブル挿通孔に、所定の耐震ケーブルが挿通配置されており、
この耐震ケーブルの一端部が上記橋台の竪壁部に定着されるとともに、該耐震ケーブルの他端部が上記橋台の胸壁部に定着されている、ことを特徴とする斜張橋における落橋および浮き上がり防止構造。
【請求項２】
上記耐震ケーブルが、上記竪壁部に一端部が定着されるとともに上記端横桁の橋軸方向外面に他端部が定着された第１ケーブルと、この第１ケーブルの他端部に一端部が接続固定されるとともに上記胸壁部の橋軸方向外面に他端部が定着された第２ケーブルとからなる、ことを特徴とする請求項１記載の斜張橋における落橋および浮き上がり防止構造。
【請求項３】
上記ケーブル挿通孔における上記端横桁の下面近傍部位が、該端横桁の下面へ向けて橋軸方向両側に広がるように形成されている、ことを特徴とする請求項１または２記載の斜張橋における落橋および浮き上がり防止構造。
【請求項４】
上記ケーブル挿通孔の中間部が、上記端横桁内に埋設された金属管で構成されている、ことを特徴とする請求項１〜３いずれか記載の斜張橋における落橋および浮き上がり防止構造。
【請求項５】
上記金属管が、橋軸直交方向に２分割された半割り管が互いに接合されてなる、ことを特徴とする請求項４記載の斜張橋における落橋および浮き上がり防止構造。
【請求項６】
上記金属管における下端開口部の内周面に、弾性リングが装着されている、ことを特徴とする請求項４または５記載の斜張橋における落橋および浮き上がり防止構造。
【発明の詳細な説明】
【０００１】
【発明の属する技術分野】
本願発明は、斜張橋における落橋および浮き上がり防止構造、すなわち、斜張橋の端支点部において橋桁が橋台から落下することおよび浮き上がることを防止するための構造に関するものである。
【０００２】
なお本願明細書において、「斜張橋」の概念には、通常の斜張橋のみならず、エクストラドーズド橋も含まれるものとする。
【０００３】
【従来の技術】
斜張橋は吊り構造のため、大規模地震時には、その端支点部において橋桁に上揚力が発生しやすい。そして、この上揚力が大きい場合には、橋桁が橋台から浮き上がってしまうおそれがある。したがって、斜張橋の端支点部には浮き上がり防止構造を設けることが望ましい。
【０００４】
ところで橋梁の端支点部には、落橋を防止するための落橋防止構造が設けられることが多い。例えば「特許文献１」には、端横桁と橋台の胸壁とを連結する連結部材を備えた落橋防止構造が記載されている。
【０００５】
このような落橋防止構造が設けられている場合には、浮き上がり防止効果を多少は期待することができるが、その連結部材は橋軸方向に延びているので、斜張橋の端支点部に作用する大きな上揚力に抵抗させることは困難である。
【０００６】
これに対し、浮き上がり防止構造として、連結部材を鉛直方向に延びるように配置して端横桁と橋台の竪壁部とを連結する構成を採用すれば、斜張橋の端支点部に作用する大きな上揚力に抵抗させることが可能となる。
【０００７】
【特許文献１】
特開２００１−６４９１４号公報（第３頁、図１）
【発明が解決しようとする課題】
しかしながら、このようにした場合には、落橋防止構造とは別に浮き上がり防止構造を設ける必要があるので、その施工に手間が掛かってしまい、また鋼材重量も大きくなってしまう、という問題がある。
【０００８】
特に、端横桁は、外ケーブルの定着等を行うために構造が煩雑となりやすいので、落橋防止構造および浮き上がり防止構造の設置スペースを確保することが容易でなく、その施工も面倒なものとなってしまう、という問題がある。
【０００９】
本願発明は、このような事情に鑑みてなされたものであって、斜張橋の端支点部における落橋防止および浮き上がり防止を、鋼材重量を大きくすることなくかつ簡易な施工で実現することができる、斜張橋における落橋および浮き上がり防止構造を提供することを目的とするものである。
【００１０】
【課題を解決するための手段】
本願発明は、所定の耐震ケーブルを用いるとともに、その挿通配置構造に工夫を施すことにより、上記目的達成を図るようにしたものである。
【００１１】
すなわち、本願発明に係る斜張橋における落橋および浮き上がり防止構造は、
斜張橋の端支点部において橋桁が橋台から落下することおよび浮き上がることを防止するための構造であって、
上記橋桁の端横桁内に、中間部が略円弧状に湾曲したケーブル挿通孔が、該ケーブル挿通孔の両端部を上記端横桁の下面および橋軸方向外面に開口させるようにして形成されており、
このケーブル挿通孔に、所定の耐震ケーブルが挿通配置されており、
この耐震ケーブルの一端部が上記橋台の竪壁部に定着されるとともに、該耐震ケーブルの他端部が上記橋台の胸壁部に定着されている、ことを特徴とするものである。
【００１２】
上記「ケーブル挿通孔」は、中間部が略円弧状に湾曲しており、かつ両端部が端横桁の下面および橋軸方向外面に開口したものであれば、その断面形状あるいは端横桁内における形成位置や形成個数等の具体的構成は特に限定されるものではない。
【００１３】
上記「所定の耐震ケーブル」は、橋桁の落下および浮き上がりを防止するのに十分な引張強度を有するものであれば、その材質や断面形状等の具体的構成は特に限定されるものではない。
【００１４】
【発明の作用効果】
上記構成に示すように、本願発明に係る斜張橋における落橋および浮き上がり防止構造は、橋桁の端横桁内に、中間部が略円弧状に湾曲したケーブル挿通孔が、その両端部を端横桁の下面および橋軸方向外面に開口させるようにして形成されており、そして、このケーブル挿通孔には耐震ケーブルが挿通配置されており、その一端部が橋台の竪壁部に定着されるとともにその他端部が橋台の胸壁部に定着されているので、次のような作用効果を得ることができる。
【００１５】
すなわち、落橋の原因となる、橋桁を橋軸方向内方へ相対変位させる外力に対しては、耐震ケーブルの他端部が定着された胸壁部の反力によって抵抗させることができ、また、浮き上がりの原因となる、橋桁に作用する上揚力に対しては、耐震ケーブルの一端部が定着された竪壁部の反力によって抵抗させることができる。
【００１６】
そして、このように端横桁内に耐震ケーブルを挿通配置するだけで、落橋防止機能と浮き上がり防止機能とを同時に得ることができるので、落橋防止構造と浮き上がり防止構造とを別々に設けるようにした場合に比して、施工の簡素化を図ることができ、また鋼材重量を低減することができる。
【００１７】
このように本願発明によれば、斜張橋の端支点部における落橋防止および浮き上がり防止を、鋼材重量を大きくすることなくかつ簡易な施工で実現することができる。そしてこれにより施工コストを削減することができる。
【００１８】
上記構成において、耐震ケーブルを、竪壁部に一端部が定着されるとともに端横桁の橋軸方向外面に他端部が定着された第１ケーブルと、この第１ケーブルの他端部に一端部が接続固定されるとともに胸壁部の橋軸方向外面に他端部が定着された第２ケーブルとからなる構成とすれば、第１ケーブルの施工を完了させた後に第２ケーブルの施工を行うことができるので、耐震ケーブルの取り扱いが容易となり、これにより施工性を一層向上させることができる。
【００１９】
上記構成において、ケーブル挿通孔の具体的構成が特に限定されないことは上述したとおりであるが、ケーブル挿通孔における端横桁の下面近傍部位を、該端横桁の下面へ向けて橋軸方向両側に広がるように形成すれば、橋桁が橋軸方向にある程度相対変位した場合においても、耐震ケーブルが端横桁と竪壁部との剪断作用あるいは該耐震ケーブルと端横桁との干渉作用によって損傷してしまうおそれをなくすことができる。
【００２０】
また上記構成において、ケーブル挿通孔の中間部を、端横桁内に埋設された金属管で構成すれば、耐震ケーブルからケーブル挿通孔の壁面に作用する荷重の大半を金属管によって受けることできるので、耐震ケーブルに対する挿通支持強度を高めることができる。しかも、このように構成することにより、予めケーブル挿通孔内に耐震ケーブルを挿通配置した状態で、端横桁のコンクリート打設を行うことができ、これにより施工性をさらに向上させることができる。
【００２１】
この場合において、金属管を、橋軸直交方向に２分割された半割り管が互いに接合されてなる構成とすれば、耐震ケーブルの両端部がその間の一般部よりも大径で形成されている場合においても、その一般部を半割り管で両側から挟んだ状態で接合することにより、耐震ケーブルを容易に金属管内に挿通させることができる。
【００２２】
また、金属管における下端開口部の内周面に、弾性リングが装着された構成とすれば、橋桁が橋軸方向にある程度相対変位した場合においても、耐震ケーブルが金属管の下端開口部と当接して損傷しやすくなってしまうのを未然に防止することができる。
【００２３】
【発明の実施の形態】
以下、図面を用いて、本願発明の実施の形態について説明する。
【００２４】
図１は、本願発明の一実施形態に係る斜張橋における落橋および浮き上がり防止構造を示す、橋軸直交断面図であり、図２は、図１のＩＩ−ＩＩ　線断面詳細図である。なお、図１は、図２のＩ−Ｉ　線の位置における断面図である。
【００２５】
これらの図に示すように、実施形態に係る落橋および浮き上がり防止構造は、斜張橋１０の端支点部において橋桁１４が橋台１６から落下することおよび浮き上がることを防止するための構造である。
【００２６】
図１に示すように、橋桁１４は、その端支点部に位置する端横桁１８において、１対の免震支承１２を介して橋台１６に支持されている。これら各免震支承１２は、端横桁１８の下面１８ａと橋台１６の竪壁部１６の上面１６ａとに挟まれるようにして配置されている。
【００２７】
両免震支承１２の間には、橋桁１４が橋台１６に対して橋軸直交方向に変位するのを防止するための構造が設けられている。すなわち、端横桁１８の下面１８ａにおける橋軸直交方向中央部には、下方へ突出する位置ずれ防止用突起部１８ｂが形成されている。また、橋台１６の竪壁部１６Ａの上面１６ａには、１対の位置ずれ防止用突起部１６ｂが、位置ずれ防止用突起部１８ｂを橋軸直交方向両側から挟むようにして形成されている。なお、端横桁１８の橋軸直交方向中央部における防止用突起部１８ｂの上方部位には、マンホール１８ｃが形成されている。
【００２８】
本実施形態に係る落橋および浮き上がり防止構造は、端横桁１８の４箇所に形成されたケーブル挿通孔２０の各々に耐震ケーブル２２が挿通配置されてなっている。これら４つのケーブル挿通孔２０は、１対の位置ずれ防止用突起部１６ｂの各々の位置に２つずつ設けられている。
【００２９】
図２に示すように、各ケーブル挿通孔２０は、その中間部が略円弧状に湾曲するように形成されており、その両端部が端横桁１８の下面１８ａおよび橋軸方向外面１８ｄに開口するように形成されている。
【００３０】
これら各ケーブル挿通孔２０に挿通配置された耐震ケーブル２２は、その一端部２２ａが橋台１６の竪壁部１６Ａに定着されるとともに、その他端部２２ｂが橋台の胸壁部１６Ｂに定着されている。その際、これら各耐震ケーブル２２は、第１ケーブル２２Ａと第２ケーブル２２Ｂとが直列配置で互いに接続固定されてなっている。図３は、第１ケーブル２２Ａの施工が完了し、第２ケーブル２２Ｂの施工がまだ行われていない状態を示す図である。
【００３１】
図３にも示すように、第１ケーブル２２Ａは、その一端部２２Ａａが竪壁部１６Ａに定着されるとともに、その他端部２２Ａｂが端横桁１８の橋軸方向外面１８ｄに定着された構成となっている。一方、第２ケーブル２２Ｂは、その一端部２２Ｂａが第１ケーブル２２Ａの他端部２２Ａｂに接続固定されるとともに、その他端部２２Ｂｂが胸壁部１６Ｂの橋軸方向外面１６ｃに定着されている。
【００３２】
ケーブル挿通孔２０の中間部は、端横桁１８内に埋設された金属管２４で構成されている。
【００３３】
この金属管２４は、４分の１円弧状に湾曲するように形成された鋼製部材であって、橋軸直交方向に２分割された半割り管２４Ａ、２４Ｂが複数のボルト２６により互いに接合されてなっている。そして、この金属管２４における下端開口部２４ａの内周面には、クロロプレンスポンジ製の弾性リング２８が装着されている。
【００３４】
金属管２４の下端開口部２４ａの下方には、該下端開口部２４ａに連結されるようにして端横桁１８の下面１８ａまで延びる鋼製の箱抜き部材３０が設けられている。この箱抜き部材３０は、矩形の水平断面を有するとともに台形の側断面を有している。そしてこれにより、ケーブル挿通孔２０における端横桁１８の下面近傍部位は、該端横桁１８の下面１８ａへ向けて橋軸方向両側に広がるように形成されている。
【００３５】
一方、金属管２４の上端開口部の橋軸方向外方には、該上端開口部に連結されるようにして端横桁１８の橋軸方向外面１８ｄまで延びる鋼管付アンカープレート３２が設けられている。
【００３６】
そして、これら金属管２４、箱抜き部材３０および鋼管付アンカープレート３２を直列に配置した状態で端横桁１８のコンクリート打設を行うことにより、ケーブル挿通孔２０が形成されるようになっている。その際、金属管２４の周囲には補強スパイラル鉄筋３４が埋設されるとともに、鋼管付アンカープレート３２の周囲には補強鉄筋３６が埋設されるようになっている。また、このコンクリート打設は、ケーブル挿通孔２０に予め第１ケーブル２２Ａを挿通配置した状態で行われるようになっている。
【００３７】
第１ケーブル２２Ａは、比較的長尺に形成されており、その各端部２２Ａａ、２２Ａｂはネジ山付きの鋼製マンションで構成されている。一方、第２ケーブル２２Ｂは、比較的短尺に形成されており、その各端部２２Ｂａ、２２Ｂｂもネジ山付きの鋼製マンションで構成されている。
【００３８】
竪壁部１６Ａにおける金属管２４の下端開口部２４ａの下方位置には、竪壁部１６Ａ（の位置ずれ防止用突起部１６ｂ）の上面１６ａに開口するトランペットシース３８と、このトランペットシース３８に連結されるように配置された鋼管付アンカープレート４０と、この鋼管付アンカープレート４０の下端部に固定されたナット４２と、このナット４２を覆うようにして鋼管付アンカープレート４０に固定された鋼製キャップ４４とが、鉛直方向に延びるように配置された状態で埋設されており、さらに鋼管付アンカープレート４０の周囲には補強鉄筋４６が埋設されている。
【００３９】
そして、第１ケーブル２２Ａの一端部２２Ａａにおける竪壁部１６Ａへの定着は、第１ケーブル２２Ａの一端部２２Ａａを、トランペットシース３８を介して鋼管付アンカープレート４０に挿入し、ナット４２にネジ締め固定することにより行われるようになっている。
【００４０】
一方、第１ケーブル２２Ａの他端部２２Ａｂにおける端横桁１８の橋軸方向外面１８ｄへの定着は、この橋軸方向外面１８ｄから突出する第１ケーブル２２Ａの他端部２２Ａｂにナット４８を取り付けて、このナット４８を鋼管付アンカープレート３２にネジ締め固定することにより行われるようになっている。
【００４１】
胸壁部１６Ｂにおける鋼管付アンカープレート３２の橋軸方向外方位置には、胸壁部１６Ｂの橋軸方向内面に開口するトランペットシース５２と、このトランペットシース５２に連結されるように配置されたガイドパイプ５４とが、橋軸方向に延びるように配置された状態で埋設されており、さらにガイドパイプ５４の周囲には補強鉄筋５６が埋設されている。
【００４２】
そして、第２ケーブル２２Ｂの一端部２２Ｂａにおける第１ケーブル２２Ａの他端部２２Ａｂへの接続固定は、内周面にネジ山が形成された接続具５８を、第１ケーブル２２Ａの他端部２２Ａｂと第２ケーブル２２Ｂの一端部２２Ｂａとにネジ締めすることにより行われるようになっている。なお、端横桁１８と胸壁部１６Ｂとの間には、耐震ケーブル２２を覆う伸縮シース５０が設けられている。
【００４３】
一方、第２ケーブル２２Ｂの他端部２２Ｂｂにおける胸壁部１６Ｂへの定着は、第２ケーブル２２Ｂの他端部２２Ｂｂを、トランペットシース５２を介してガイドパイプ５４に挿入して胸壁部１６Ｂの橋軸方向外面１６ｃから突出させ、この他端部２２Ｂｂに、スプリング６０を介してナット６２を取り付けて、このナット６２を橋軸方向外面１６ｃにネジ締め固定することにより行われるようになっている。その際、スプリング６０と胸壁部１６Ｂとの間には、緩衝パッキンおよび支圧板からなる緩衝具６４が介装され、またスプリング６０とナット６２との間には止めプレート６６が介装されるようになっている。そして、胸壁部１６Ｂの橋軸方向外面１６ｃには、第２ケーブル２２Ｂの他端部２２Ｂｂを覆う鋼製キャップ６８が取り付けられている。
【００４４】
図４は、橋桁１４が橋台１６に対して橋軸方向内方へ変位した状態を示す図である。
【００４５】
図示のように、橋桁１４が橋軸方向内方へ相対変位すると、耐震ケーブル２２の第２ケーブル２２Ｂには、上記相対変位に伴う引張荷重が作用するが、この引張荷重はスプリング６０の弾性圧縮変形により吸収される。
【００４６】
一方、耐震ケーブル２２の第１ケーブル２２Ａは、橋桁１４が橋軸方向内方へ相対変位すると、金属管２４における下端開口部２４ａと鋼管付アンカープレート４０との間の部分が、鉛直方向に対して傾斜した状態になるので、該第１ケーブル２２Ａにも引張荷重が作用する。その際、第１ケーブル２２Ａの他端部２２Ａｂに取り付けられたナット４８が端横桁１８の橋軸方向外面１８ｄに当接しているので、第１ケーブル２２Ａに作用する引張荷重はスプリング６０の弾性圧縮変形によって吸収されることはないが、このとき第１ケーブル２２Ａに作用する引張荷重は比較的小さいので別段支障が生じることはない。
【００４７】
橋桁１４が橋台１６に対して橋軸方向内方へさらに変位してスプリング６０の弾性圧縮変形量が限界に達すると、耐震ケーブル２２の全長にわたって大きな引張荷重が作用する。その際、胸壁部１６Ｂの反力によって橋桁１４のそれ以上の変位が規制され、これにより橋桁１４の橋台１６からの落下が未然に防止される。
【００４８】
上述したように、橋桁１４の橋軸方向内方への相対変位により、第１ケーブル２２Ａは、金属管２４における下端開口部２４ａと鋼管付アンカープレート４０との間の部分が鉛直方向に対して傾斜した状態になるが、ケーブル挿通孔２０における端横桁１８の下面近傍部位は、箱抜き部材３０によって端横桁１８の下面１８ａへ向けて橋軸方向両側に広がるように形成されているので、第１ケーブル２２Ａが箱抜き部材３０と干渉して損傷してしまうおそれはなく、また、第１ケーブル２２Ａが端横桁１８と竪壁部１６Ａとの剪断作用によって損傷してしまうおそれもない。しかも、金属管２４における下端開口部２４ａの内周面には弾性リング２８が装着されているので、第１ケーブル２２Ａが金属管２４の下端開口部２４ａと当接して損傷してしまうおそれもない。
【００４９】
また、このように第１ケーブル２２Ａが鉛直方向に対して傾斜しても、竪壁部１６Ａに設けられたトランペットシース３８により、第１ケーブル２２Ａと竪壁部１６Ａとの当接は所定長にわたって行われるので、第１ケーブル２２Ａが竪壁部１６Ａとの干渉により損傷してしまうおそれもない。
【００５０】
一方、橋桁１４に上揚力が作用したときには、第１ケーブル２２Ａに大きな引張荷重が作用し、その一端部２２Ａａが定着された竪壁部１６Ａの反力によって橋桁１４の浮き上がりが規制される。このとき、橋桁１４が上方へ多少変位しても、胸壁部１６Ｂに設けられたトランペットシース５２により、第２ケーブル２２Ｂと胸壁部１６Ｂとの間にはクリアランスが確保されるので、第２ケーブル２２Ｂが胸壁部１６Ｂとの干渉により損傷してしまうおそれはない。
【００５１】
以上詳述したように、本実施形態においては、橋桁１４の端横桁１８内に、中間部が略円弧状に湾曲したケーブル挿通孔２０が、その両端部を端横桁１８の下面１８ａおよび橋軸方向外面１８ｄに開口させるようにして形成されており、そして、このケーブル挿通孔２０には耐震ケーブル２２が挿通配置されており、その一端部２２ａが橋台１６の竪壁部１６Ａに定着されるとともにその他端部２２ｂが橋台１６の胸壁部１６Ｂに定着されているので、次のような作用効果を得ることができる。
【００５２】
すなわち、落橋の原因となる、橋桁１４を橋軸方向内方へ相対変位させる外力に対しては、耐震ケーブル２２の他端部２２ｂが定着された胸壁部１６Ｂの反力によって抵抗させることができ、また、浮き上がりの原因となる、橋桁１４に作用する上揚力に対しては、耐震ケーブル２２の一端部２２ａが定着された竪壁部１６Ａの反力によって抵抗させることができる。
【００５３】
そして、このように端横桁１８内に耐震ケーブル２２を挿通配置するだけで、落橋防止機能と浮き上がり防止機能とを同時に得ることができるので、落橋防止構造と浮き上がり防止構造とを別々に設けるようにした場合に比して、施工の簡素化を図ることができ、また鋼材重量を低減することができる。そしてこれにより施工コストを削減することができる。
【００５４】
特に本実施形態においては、耐震ケーブル２２が、竪壁部１６Ａに一端部２２Ａａが定着されるとともに端横桁１８の橋軸方向外面１８ｄに他端部２２Ａｂが定着された第１ケーブル２２Ａと、この第１ケーブル２２Ａの他端部２２Ａｂに一端部２２Ｂが接続固定されるとともに胸壁部１６Ｂの橋軸方向外面１６Ｂａに他端部２２Ｂｂが定着された第２ケーブル２２Ｂとからなっているので、第１ケーブル２２Ａの施工を完了させた後に第２ケーブル２２Ｂの施工を行うことができる。したがって耐震ケーブル２２の取り扱いが容易となり、これにより施工性を一層向上させることができる。
【００５５】
本実施形態においては、ケーブル挿通孔２０における端横桁１８の下面近傍部位が、箱抜き部材３０によって端横桁１８の下面１８ａへ向けて橋軸方向両側に広がるように形成されているので、橋桁１４が橋軸方向にある程度相対変位した場合においても、耐震ケーブル２２が端横桁１８と竪壁部１６Ａとの剪断作用あるいは該耐震ケーブル２２と端横桁１８との干渉作用によって損傷してしまうおそれをなくすことができる。
【００５６】
また本実施形態においては、ケーブル挿通孔２０の中間部が、端横桁１８内に埋設された金属管２４で構成されているので、耐震ケーブル２２からケーブル挿通孔２０の壁面に作用する荷重の大半を金属管２４によって受けることでき、これにより耐震ケーブル２２に対する挿通支持強度を高めることができる。しかも、このように構成することにより、予めケーブル挿通孔２０内に耐震ケーブル２２を挿通配置した状態で、端横桁１８のコンクリート打設を行うことができ、これにより施工性をさらに向上させることができる。
【００５７】
この金属管２４は、橋軸直交方向に２分割された半割り管２４Ａ、２４Ｂが互いに接合されてなっているので、第１ケーブル２２Ａの両端部２２Ａａ、２２Ａｂがその間の一般部よりも大径で形成されているにもかかわらず、その一般部を半割り管２４Ａ、２４Ｂで両側から挟んだ状態で接合することにより、第１ケーブル２２Ａを金属管２４内に挿通させることができる。
【００５８】
また、金属管２４における下端開口部２４ａの内周面には、弾性リング２８が装着されているので、橋桁１４が橋軸方向にある程度相対変位した場合においても、耐震ケーブル２２が金属管２４の下端開口部２４ａと当接して損傷しやすくなってしまうのを未然に防止することができる。
【００５９】
なお本実施形態においては、耐震ケーブル２２が、施工性をより高める観点から、第１ケーブル２２Ａと第２ケーブル２２Ｂとが接続固定された構成となっているが、これを１本のケーブルで構成するようにしてもよいことはもちろんである。
【図面の簡単な説明】
【図１】本願発明の一実施形態に係る斜張橋における落橋および浮き上がり防止構造を示す、橋軸直交断面図
【図２】図１のＩＩ−ＩＩ　線断面詳細図
【図３】上記落橋および浮き上がり防止構造を、第１ケーブルの施工が完了し、第２ケーブルの施工がまだ行われていない状態で示す、図２と同様の図
【図４】上記落橋および浮き上がり防止構造を、橋桁が橋軸方向内方へ相対変位した状態で示す、図２と同様の図
【符号の説明】
１０　斜張橋
１２　免震支承
１４　橋桁
１６　橋台
１６Ａ　竪壁部
１６Ｂ　胸壁部
１６ａ　上面
１６ｂ　位置ずれ防止用突起部
１６ｃ　橋軸方向外面
１８　端横桁
１８ａ　下面
１８ｂ　位置ずれ防止用突起部
１８ｃ　マンホール
１８ｄ　橋軸方向外面
２０　ケーブル挿通孔
２２　耐震ケーブル
２２Ａ　第１ケーブル
２２Ｂ　第２ケーブル
２２ａ、２２Ａａ、２２Ａａ　一端部
２２ｂ、２２Ａｂ、２２Ｂｂ　他端部
２４　金属管
２４Ａ、２４Ｂ　半割り管
２４ａ　下端開口部
２６　ボルト
２８　弾性リング
３０　箱抜き部材
３２、４０　鋼管付アンカープレート
３４　補強スパイラル鉄筋
３６、４６、５６　補強鉄筋
３８、５２　トランペットシース
４２、４８、６２　ナット
４４、６８　鋼製キャップ
５０　伸縮シース
５４　ガイドパイプ
５８　接続具
６０　スプリング
６４　緩衝具
６６　止めプレート
【図１】
2004092269.tif 000003
【図２】
2004092269.tif 000004
【図３】
2004092269.tif 000005
【図４】
2004092269.tif 000006